(57)【要約】【課題】  配信する文書自体に施す画像処理を記述し、従来技術であるＯＣＲ等の画像認識処理を用いる画像処理方式を抽出する。【解決手段】  画像処理機能部２２０にて、受信した文書データを画像認識処理によって符号化する画像符号化手段と、符号化したデータと施す画像処理を対応付ける画像処理テーブルと、画像処理を実行する複数画像処理群２２２とを有し、配信時に所定のフォームに施す画像処理を記述することによって、施す画像処理を決定可能としたこと。【選択図】        図１
2005094382.tif 000002
【特許請求の範囲】
【請求項１】
ネットワークを介して送信元から配信された文書データに画像処理を施して、内部に持つ宛先ルーティング機能より得られた宛先へ配信する配信サーバを有する配信システムにおいて、
前記配信サーバには、
前記文書データと共に送信元から配信されたフォームをフォーム認識機能によって符号化する画像符号化手段と、
前記フォーム認識機能を実行するために用いられ符号と画像処理を対応付ける画像処理テーブルと、
複数の画像処理手段を内蔵して前記符号によって対応付けられた画像処理を実行する画像処理群とを有し、
送信元からの配信時に、前記フォームに施す画像処理を記述することによって、該施す画像処理を決定可能としたことを特徴とする、画像処理自動認識配信システム。
【請求項２】
ネットワークを介して送信元から配信された文書データに画像処理を施して、内部に持つ宛先ルーティング機能より得られた宛先へ配信する配信サーバを有する配信システムにおいて、
前記配信サーバには、
前記文書データと共に送信元から配信されたフォームからマークシートに記載されるマークのうちチェックされたマークの座標位置を抽出するマーク座標抽出手段と、
前記マークシートに記載されるマークの位置情報を記憶したマーク用領域座標位置情報と、
複数の画像処理手段を内蔵して前記位置情報によって対応付けられた画像処理を実行する画像処理群とを有し、
送信元からの配信時に、前記マークシートに施す画像処理を記述することによって、該施す画像処理を決定可能としたことを特徴とする、画像処理自動認識配信システム。
【請求項３】
複数の画像処理の処理順が記載される領域の座標を記憶した処理順記述領域座標位置情報と、
記載された処理順を抽出する処理順抽出プログラムとを更に有し、
送信元からの配信時に、マークシートに画像処理の処理順番を記述することによって画像処理の処理順を決定することを特徴とする、請求項２に記載の画像処理自動認識配信システム。
【請求項４】
送信元から配信されたフォームを符号と画像処理を対応付ける画像処理テーブルを用いたフォーム認識機能によって符号化すると共に画像処理に対応付け、画像処理を実行する処理を実現するプログラム。
【請求項５】
送信元から配信されたフォームからマークシートに記載されるマークのうちチェックされたマークの座標位置を、前記マークシートに記載されるマークの位置情報を記憶したマーク用領域座標位置情報にて抽出し、前記位置情報によって対応付けられた画像処理を実行する処理を実現するプログラム。
【請求項６】
複数の画像処理の処理順が記載される領域の座標を記憶した処理順記述領域座標位置情報にて記載された処理順を抽出する処理を更に有する請求項５に記載のプログラム。
【発明の詳細な説明】
【技術分野】
【０００１】
本発明は、ネットワーク上に構築され、文書データをルーティングする文書配信システムにおいて、特に文書データに付加する画像処理を、配信時に決定する画像処理配信システムに関する。なお、ここで画像処理とは、全文ＯＣＲ処理や天地識別処理、画像フォーマット変換処理（ＪＰＧやＰＤＦに変換する処理）等の、既存の処理を示す。
【背景技術】
【０００２】
図４は、従来の既存のスキャナ配信システムの説明図である。
このシステムは、スキャナ１と配信サーバ２で構成される。スキャナ１は配信サーバ２内の宛先を表示する宛先表示部１１を有し、一方配信サーバ２には一時保存場所部２１、画像処理部２２、及び各宛先インターフェース（Ｉ／Ｆ）２４を有する。
スキャン画像の配信に先立って、配信サーバ２が内部にもつ宛先の一覧は、ネットワークを介して配信サーバ２からスキャナ１へ転送され、スキャナ１ではスキャン画像を転送する配信サーバ２を登録すると共に、宛先表示部１１にて配信サーバ２の宛先一覧を表示する。利用者は、スキャナ１で文書を読み取る前にあらかじめ宛先表示部１１に表示されている宛先を選択しておく。
スキャナ１にて文書を読み取ると、電子化された文書データと選択された宛先の情報が、配信サーバ２の一時保存場所部２１へ転送される。配信サーバ２は、画像処理部２２にて転送された文書データにあらかじめ定められた画像処理を施す。続いて、配信サーバ２は、転送時に文書と一緒に転送された宛先情報に基づきその宛先のルーティングを行い、その宛先に向け画像処理された文書データを配信する。配信サーバが内部に持つ宛先としては、メールアドレス、フォルダパス、ネットワーク上のデータベース、プリンタなど配信先の情報が記されており、文書データはこれら配信先へ配信される。
【０００３】
図５は、従来の既存のＦＡＸ配信システムの説明図である。
このシステムは、送信側ＦＡＸ３、受信側ＦＡＸ４、配信サーバ２で構成される。そして、配信サーバ２は、一時保存場所部２１、画像処理部２２、ＦＡＸ情報ルーティングテーブル２３、各宛先インターフェース２４を有する。受信側ＦＡＸ４ではスキャン画像を転送する配信サーバ２を登録する。
利用者は、送信側ＦＡＸから、受信側ＦＡＸへ画像情報（例えば文書データ）を送信する。この際、送信側ＦＡＸ３からは、画像情報以外、ＴＳＩ、Ｆ−ＣＯＤＥなどの付加情報（ＦＡＸ情報）を一緒に転送することができる。受信側ＦＡＸは画像情報を受け取ると、ＴＳＩ、Ｆ−ＣＯＤＥなどのＦＡＸ情報と画像情報を配信サーバ２の一時保管場所部２１へ転送する。配信サーバ２の画像処理部２２は、転送された画像情報に予め定められた画像処理を施す。続いて、配信サーバ２は転送されたＦＡＸ情報からＦＡＸ情報ルーティングテーブル２３を用いて配信する宛先を決定する。その決定した宛先に記されている配信先へ画像処理された文書データを配信する。
【特許文献１】特開２０００−５７２６６公報
【特許文献２】特開２００２−３５８５０５公報
【発明の開示】
【発明が解決しようとする課題】
【０００４】
しかしながら、配信される文書データに施される画像処理を設定する決定方法とタイミングに注目した場合、スキャナ配信システム及びＦＡＸ配信システム共に、画像処理手段を決定するために、コンピュータ上配信システムが用意した画像処理手段を選択するためのユーザインターフェースを持つプログラムによって選択が行われる。
また、情報の配信時ではなく、配信される前に予めシステムに画像処理を保存しておかなければならない。
このように画像処理の決定手段では、配信する直前に施す画像処理を決定することができず、融通が利かないシステムになってしまう。
なお、特許文献１には、定型でない任意の帳票を、帳票中の画像的特長を用いてパターンマッチングする方法において、処理速度を高速にする手段が開示され、特許文献２には、帳票識別方法を用いて、複数ページの読み取り画像をユーザが希望する文書別に分けて登録する方法が開示される。
本発明は、上記に鑑みてなされたものであって、配信する文書自体に施す画像処理を記述し、従来技術であるＯＣＲ等の画像認識処理を用いる画像処理を抽出する画像処理自動認識配信システムの提供を目的とする。
【課題を解決するための手段】
【０００５】
上述した課題を解決し、目的を達成するために、請求項１にかかる発明は、ネットワークを介して送信元から配信された文書データに画像処理を施して、内部に持つ宛先ルーティング機能より得られた宛先へ配信する配信サーバを有する配信システムにおいて、前記配信サーバには、前記文書データと共に送信元から配信されたフォームをフォーム認識機能によって符号化する画像符号化手段と、前記フォーム認識機能を実行するために用いられ符号と画像処理を対応付ける画像処理テーブルと、複数の画像処理手段を内蔵して前記符号によって対応付けられた画像処理を実行する画像処理群とを有し、送信元からの配信時に、前記フォームに施す画像処理を記述することによって、該施す画像処理を決定可能としたことを特徴とする。
また、請求項２にかかる発明は、ネットワークを介して送信元から配信された文書データに画像処理を施して、内部に持つ宛先ルーティング機能より得られた宛先へ配信する配信サーバを有する配信システムにおいて、前記配信サーバには、前記文書データと共に送信元から配信されたフォームからマークシートに記載されるマークのうちチェックされたマークの座標位置を抽出するマーク座標抽出手段と、前記マークシートに記載されるマークの位置情報を記憶したマーク用領域座標位置情報と、複数の画像処理手段を内蔵して前記位置情報によって対応付けられた画像処理を実行する画像処理群とを有し、送信元からの配信時に、前記マークシートに施す画像処理を記述することによって、該施す画像処理を決定可能としたことを特徴とする。
【０００６】
また、請求項３にかかる発明は、請求項２に係る発明において、複数の画像処理の処理順が記載される領域の座標を記憶した処理順記述領域座標位置情報と、記載された処理順を抽出する処理順抽出プログラムとを更に有し、送信元からの配信時に、マークシートに画像処理の処理順番を記述することによって画像処理の処理順を決定することを特徴とする。また、請求項４にかかる発明は、送信元から配信されたフォームを符号と画像処理を対応付ける画像処理テーブルを用いたフォーム認識機能によって符号化すると共に画像処理に対応付け、画像処理を実行する処理を実現するプログラムを特徴とする。
また、請求項５にかかる発明は、送信元から配信されたフォームからマークシートに記載されるマークのうちチェックされたマークの座標位置を、前記マークシートに記載されるマークの位置情報を記憶したマーク用領域座標位置情報にて抽出し、前記位置情報によって対応付けられた画像処理を実行する処理を実現するプログラムを特徴とする。
また、請求項６にかかる発明は、請求項５にかかる発明において、複数の画像処理の処理順が記載される領域の座標を記憶した処理順記述領域座標位置情報にて記載された処理順を抽出する処理を更に有するプログラムを特徴とする。
【発明の効果】
【０００７】
請求項１及び２、請求項４及び５によれば、配信する文書自体に画像処理に関する情報を含めることができるので、配信する直前に施す画像処理を選択することができ、画像処理の選択が手軽にできる。
また、請求項３及び６によれば、複数の画像処理を施す際に処理する順番を決められるため、ユーザの意図した処理を行うことができる。例えば、ノイズ除去を行った後で全文ＯＣＲ処理を行えば、全文ＯＣＲ処理ＯＣＲの精度が上がると考えられる。
【発明を実施するための最良の形態】
【０００８】
以下に添付図面を参照して、この発明にかかる画像処理情報配信システムの最良な実施の形態を詳細に説明する。
（第１の実施形態）
図１は、第１の実施形態のシステム構成に関する構成図である。図４と同一部分には同符号を付す。この図１は、スキャナ１（ＦＡＸでもよい、以下同じ）と配信サーバ２とからなり、配信サーバ２には、一時保存場所部２１、フォーム認識機能部２２１及び画像処理群２２２からなる画像処理機能部２２０、処理終了画像保存場所部２５０、各宛先インターフェース２４からなる。このうち、フォーム認識機能部２２１は、フォーム認識プログラムと、画像処理テーブルで構成される。画像処理テーブルは、画像処理群２２２に存在する画像処理手段（プログラムを含む）と、フォームから抽出される符号を対応付けられ、図示のように先頭カラムにて符号を、第３カラムにて符号に応じた画像処理手段を備える。
利用者は、配信時に、図１上図に示すように配信サーバ２に予め登録してあるフォームを文書の先頭ページにしてスキャン／ＦＡＸを行う。ここで、フォームは画像処理手段を選択する専用フォームである。配信サーバ２では、転送された画像の先頭ページでの認識処理をして文書全体に施す画像処理を検知する。この場合、転送された画像の先頭ページのフォームは、フォーム認識機能部２２１内のフォーム認識プログラムにより符号化しフォームに記述された画像処理手段を抽出する。この時の符号化は、画像処理テーブルから符号化データを検索することで作成する。そして、画像処理群２２２では符号化データに対応付けられた画像処理が行われ、処理終了画像保存場所部２５０に保存される。この一連の処理は、図１下図にて示す。そしてその後、その画像処理を施した画像を配信する。
（第２の実施形態）
【０００９】
図２は、第２の実施形態のシステム構成に関する構成図である。図１と同一部分には同符号を付す。この図２は、スキャナ１と配信サーバ２とからなり、配信サーバ２には、一時保存場所部２１、ＯＭＲフォーム認識機能部２２３及び画像処理群２２２からなる画像処理機能部２２０、処理終了画像保存場所部２５０、各宛先インターフェース２４からなる。このうち、ＯＭＲフォーム認識機能部２２３は、マーク座標抽出プログラムと、マーク用座標位置情報と、画像処理テーブルで構成される。マーク用座標位置情報は、マークされる領域の座標位置の情報であり、画像処理テーブルは、画像処理群２２２に存在する画像処理手段と、フォームに記載されているマーク用の領域の座標を対応付けている。図２の図示では、上図のＯＭＲフォームの例をとると、マーク用領域座標位置情報としては、ｘ１ｙ１；左上四角の座標、幅高さ；四角の幅と高さ、間隔ｘｙ；となりの四角との間隔、数ｘｙ；ｘｙ座標の四角の数、をそれぞれ指し、画像処理テーブルとしては、先頭カラムでマークのｘ座標、第２カラムでマークのｙ座標、第３カラムで画像処理の種類を示す。
利用者は配信時に、図１と同様、配信サーバ２に予め登録してあるフォームを文書の先頭ページにしてスキャン／ＦＡＸを行う。配信サーバ２は、図２の上図に示すＯＭＲフォームの例にて示すように、画像の先頭ページのフォームから、画像処理手段がチェックされた領域のマークの座標をマーク座標抽出プログラムにて抽出する。この場合、マーク用領域座標位置情報に記述されているマーク用領域のすべてについてマークされているかを調査し、マークされた領域の座標を抽出する。次いで、画像処理テーブルにてマーク座標から座標と対応する画像処理を取得する。画像処理群２２２にて、取得した画像処理を実行して、処理終了画像保存場所部２５０に保存する。この一連の処理は、図２下図にて示す。そして、画像処理を実施した画像を配信する。こうして、配信サーバ２は、転送された画像の先頭ページにマークした認識処理手段から文書全体に施す画像処理を検知し、その画像処理を施したものを配信する。
（第３の実施形態）
【００１０】
図３は第３の実施形態のシステム構成に関する構成図である。図２と同一部分には同符号を付す。図３に示す第３実施形態は第２実施形態を基礎とするものであり、第２実施形態との構成の差異は、ＯＭＲフォーム認識機能部２２３の内容であり、処理順抽出プログラムと処理順記述領域座標位置情報とが更に加えられたことである。すなわち、ＯＭＲフォーム認識機能部２２３は、マーク座標抽出プログラム、マーク用領域座標位置情報、画像処理テーブルに加えて、処理順番抽出プログラム、処理順記述領域座標位置情報で構成される。
処理の流れとしては、フォームからマークされた領域の座標を抽出し、その座標を画像処理テーブルから検索することは、第２実施形態と同様である。
続いて、処理順抽出プログラムが、処理順記述領域座標位置情報に記述されている領域を調査し、数値が記述されている座標と記述されている値を抽出する。ここで抽出された値が処理順番である。そして、得られた座標を画像処理テーブルから検索し、座標に対応付けられた画像処理を抽出された処理順に行う。その処理順の抽出の際に、前段にてマーク座標抽出プログラムと画像処理テーブルによって得られた画像処理手段のみについて実施する。一連の処理は、図３下図にて示す。この後、画像処理した画像を配信する。
【産業上の利用可能性】
【００１１】
以上のように、本発明にかかる画像処理自動認識配信システムは、所定のフォームを画像認識処理することによって画像処理手段を抽出するシステムに有用である。
【図面の簡単な説明】
【００１２】
【図１】第１の実施形態のシステム構成図。
【図２】第２の実施形態のシステム構成図。
【図３】第３の実施形態のシステム構成図。
【図４】既存のスキャナ配信システムの構成図。
【図５】既存のＦＡＸ配信システムの構成図。
【符号の説明】
【００１３】
１  スキャナ
２  配信サーバ
２４  宛先Ｉ／Ｆ
２２０  画像処理機能部
２２１  フォーム認識機能部
２２２  画像処理群
２２３  ＯＭＲフォーム認識機能部
２５０  処理終了画像保存場所部
【図１】
2005094382.tif 000003
【図２】
2005094382.tif 000004
【図３】
2005094382.tif 000005
【図４】
2005094382.tif 000006
【図５】
2005094382.tif 000007